(57)【要約】      （修正有）【課題】アンダーワイヤとクッション性物質が別個に提供され、クッション性物質は、ブラジャーカップの製造中に、ブラジャーカップ形状へと容易に成形される一片の発泡材によりなされるクッション付きブラジャーを提供する。【解決手段】アンダーワイヤ３４が、ブラジャーカップの外側表面および内側表面を提供するシート材４０，４４の間に位置する成形されたブラジャーカップが開示される。製造中に、好ましくは１片の発泡材であるクッション性物質の挿入物３６が、内側のシート材４４とアンダーワイヤ３４の間に配置される。【選択図】図５
0003162257.tif 000002
【実用新案登録請求の範囲】
【請求項１】
生地の外側層と、
生地の内側層と、
アンダーワイヤとを備え、
前記内側の生地層および前記外側の生地層は、前記アンダーワイヤをその間に挟んだ状態で成形されて前記ブラジャーカップを形成し、
クッション性物質の挿入物を、着用者の体に対する前記アンダーワイヤの圧力を低減するために、前記内側の生地層と前記アンダーワイヤとの間に配置することを特徴とする成形されたブラジャーカップ。
【請求項２】
前記挿入物は１片の発泡材であることを特徴とする請求項１に記載の成形されたブラジャーカップ。
【請求項３】
前記挿入物は、シリコンゲルであることを特徴とする請求項１に記載の成形されたブラジャーカップ。
【請求項４】
前記挿入物は、繊維の集合体であることを特徴とする請求項１に記載の成形されたブラジャーカップ。
【請求項５】
前記挿入物は、流体で満たされた袋であることを特徴とする請求項１に記載の成形されたブラジャーカップ。
【請求項６】
前記流体は液体であることを特徴とする請求項５に記載の成形されたブラジャーカップ。
【請求項７】
前記流体は空気であることを特徴とする請求項５に記載の成形されたブラジャーカップ。
【請求項８】
前記外側の生地層は、多層化されたシートの層であることを特徴とする請求項１に記載の成形されたブラジャーカップ。
【請求項９】
前記多層化されたシートは、前記外側の生地層に積層された発泡層を含むことを特徴とする請求項８に記載の成形されたブラジャーカップ。
【請求項１０】
前記内側の生地層は、多層化されたシートの層であることを特徴とする請求項１に記載の成形されたブラジャーカップ。
【請求項１１】
前記多層化されたシートは、前記内側の生地層に積層された発泡層を含むことを特徴とする請求項１０に記載の成形されたブラジャーカップ。
【請求項１２】
前記アンダーワイヤは、生地の中に包まれることを特徴とする請求項１に記載の成形されたブラジャーカップ。
【請求項１３】
生地の前記内側層は、隣接しかつ超音波溶着により互いに結合される、生地の第１のパネルおよび生地の第２のパネルを備えることを特徴とする請求項１に記載の成形されたブラジャーカップ。
【請求項１４】
生地の前記第２のパネルは、概して、クッション性物質の前記挿入物が位置する前記成形されたブラジャーカップの領域に相当することを特徴とする請求項１３に記載の成形されたブラジャーカップ。
【請求項１５】
請求項１に記載された成形されたブラジャーカップを２つ備えることを特徴とする成形されたブラジャーカップアセンブリ。
【請求項１６】
ブラジャーを着用者の体に取り付けるために、ブラジャーカップアセンブリに取り付けるためのバックストラップまたはバックウィングを有する請求項１５に記載の成形されたブラジャーカップアセンブリを備えることを特徴とするブラジャー。
【請求項１７】
外側の発泡層、内側の発泡層、およびアンダーワイヤをそれぞれが含む２つの成形された乳房カップであって、前記外側の発泡層および前記内側の発泡層は、前記アンダーワイヤをその間に挟んだ状態で成形されて前記乳房カップを形成する、乳房カップと、
前記２つの乳房カップの間で延びる中間の架橋領域と、
前記２つの乳房カップのそれぞれの外側領域から延びるバックストラップとを備え、
クッション性物質の挿入物を、着用者の体に対する前記アンダーワイヤの圧力を低減するために、前記内側の発泡層と前記アンダーワイヤとの間に配置することを特徴とする、ブラジャー。
【考案の詳細な説明】
【技術分野】
【０００１】
本考案は、一般に、ブラジャーに関し、詳細には、単一の成形されたブラジャーカップ、成形されたブラジャーカップアセンブリ、およびブラジャーに関する。
【背景技術】
【０００２】
従来のブラジャーは、着用者の乳房を支持するように意図された１対の乳房カップと、着用者の胸の谷間でカップの内側縁部を共に結合する接続部分と、乳房カップの外側縁部から着用者の背中の周囲に延びる少なくとも１つのストラップまたはバックウィング（ｂａｃｋ  ｗｉｎｇ）とを備える。ブラジャーは、乳房カップの上側縁部から着用者の肩を越えて、着用者の背中を横切るバックウィングの取付け点まで延びる肩ストラップをさらに含むことができる。
【０００３】
ブラジャーは、各乳房カップの下側周辺部を形作り、かつ支持するためのアンダーワイヤを乳房カップごとに含むことができる。アンダーワイヤは、金属または剛性のあるプラスチック材料から形成された、全体的にＵ形状のフレームを含むことができる。通常、１対のアンダーワイヤがブラジャーまたは他の肌着に組み込まれて、１対の乳房カップに対する形状および支持を提供する。しかし、いくつかの形態では、アンダーワイヤは、両方の乳房カップを横断する単一のアンダーワイヤフレームを含むことができる。
【先行技術文献】
【特許文献】
【０００４】
【特許文献１】米国特許第６，８９６，５８０  Ｂ２号明細書
【特許文献２】米国特許第７，２０７，８６１  Ｂ２号明細書
【特許文献３】米国特許第７，１７９，７５０  Ｂ２号明細書
【考案の概要】
【考案が解決しようとする課題】
【０００５】
米国特許第６，８９６，５８０  Ｂ２号明細書および米国特許第７，２０７，８６１  Ｂ２号明細書は、ブラジャーのためのクッション付きアンダーワイヤを開示しており、そこでは、アンダーワイヤおよびクッション材が多層ケーシング（ｃａｓｉｎｇｓ）で提供される。これらのケーシングは構造が複雑であり、したがって、ブラジャーを製造するための全体コストが比較的高くなる。
【課題を解決するための手段】
【０００６】
第１の態様によれば、本考案は、生地の外側層と、生地の内側層と、アンダーワイヤとを備え、内側の生地層および外側の生地層は、アンダーワイヤをその間に挟んだ状態で成形されてブラジャーカップを形成し、クッション性物質の挿入物を、着用者の体に対するアンダーワイヤの圧力を低減するために、内側の生地層とアンダーワイヤとの間に配置する、成形されたブラジャーカップを提供する。
【０００７】
本考案は、アンダーワイヤを組み込んだ従来技術のかなり複雑なケーシング構造を回避する。したがって、本考案では、アンダーワイヤとクッション性物質が別個に提供され、クッション性物質は、ブラジャーカップの製造中に、ブラジャーカップ形状へと容易に成形される一片の発泡材により提供されることが好ましい。したがって、コストは削減される。
【０００８】
本考案の他の態様によれば、
外側の発泡層、内側の発泡層、およびアンダーワイヤをそれぞれが含む２つの成形された乳房カップであって、外側の発泡層および内側の発泡層は、アンダーワイヤをその間に挟んだ状態で成形されて乳房カップを形成する、乳房カップと、
２つの乳房カップの間で延びる中間の架橋領域と、
２つの乳房カップのそれぞれの外側領域から延びるバックストラップとを備え、
クッション性物質の挿入物を、着用者の体に対するアンダーワイヤの圧力を低減するために、内側の発泡層とアンダーワイヤの間に配置する、ブラジャーが提供される。
【０００９】
クッション性物質の挿入物は一片の発泡材であることが好ましい、またはより厚いクッションを提供するために発泡材を２重の層にすることも可能であるが、代替的に、シリコンゲル、繊維の集合体、または液体もしくは空気などの流体で満たされた袋（ｂｌａｄｄｅｒもしくはｓａｃ）により提供することもできる。
【００１０】
好ましくは、外側の生地層は多層化されたシートの層であり、またその多層化されたシートは、発泡層をそれに積層させた生地層を備えることができる。さらに好ましくは、内側の生地層は多層化されたシートの層であり、またその多層化されたシートは、少なくとも２つの層、すなわち、生地層とその生地層に積層された発泡層とを備える。しかし、本考案は、内側の生地層または外側の生地層に積層された発泡層を使用しない、成形されたブラジャーカップにも適用可能である。
【００１１】
本考案はまた、成形され仕上げられたカップアセンブリ（すなわち、２つのブラジャーカップを含む成形されたアセンブリ）と、さらにその成形されたカップアセンブリから形成することのできるブラジャーを含む。
【００１２】
本考案をよりよく理解するために、また本考案をどのようにして実施できるかを示すために、添付の図面を参照して、非限定的な例としてだけであるが、本考案の諸実施形態を次に述べるものとする。
【図面の簡単な説明】
【００１３】
【図１】本考案の実施形態による縁部が仕上げられ、成形されたブラジャーカップアセンブリの正面図である。
【図２】ブラジャーカップの一方に対してアンダーワイヤおよび発泡挿入物を配置することを示す、図１のカップアセンブリの裏面図である。
【図３】図２の断面ＡＡに沿ったブラジャーカップの等角断面図である。
【図４】本考案の実施形態によるブラジャーカップアセンブリの製造法における諸ステップを示す流れ図である。
【図５】図４の最終的な製造ステップの分解図である。
【考案を実施するための形態】
【００１４】
図１を参照すると、ブラジャー用の、成形され縁部が仕上げられたカップアセンブリ２０は、接続部２４により結合された１対の乳房カップ２２を備える。ブラジャーを形成するために、ストラップまたはバックウィング（図示せず）を、各ブラジャーカップ２２の外側縁部から（例えば、領域２６から）着用者の背中の周囲まで延びるように、例えば、縫製、または成形、溶着もしくはその他の形の他の非縫製手段によりカップアセンブリ２０に取り付けることができ、また肩ストラップ（図示せず）を、各ブラジャーカップ２２の上側延長部２８に、また各バックストラップまたはバックウィング上の取付け位置に取り付けることができる。
【００１５】
カップアセンブリ２０は、外側の生地層３０（図１を参照のこと）、および内側の生地層３２（図２を参照のこと）を備えている、すなわち、内側の生地層３２は、着用者の皮膚と接触する。
【００１６】
カップアセンブリ２０の裏面図（図２を参照のこと）を参照すると、ブラジャーカップ２２の下側縁部領域で、アンダーワイヤ３４の位置が、この実施形態では一片の発泡材であるクッション性物質の挿入物３６の位置と同様に、（図で見て）右側のブラジャーカップ２２に対して示されている（図２では、アンダーワイヤ３４および挿入物３６は、明確化のために破線ではなく完全な外形線で示されていることに留意されたい）。図３から、挿入物３６はアンダーワイヤ３４を覆うことが分かるはずである。クッション性物質は、着用者の体に対するアンダーワイヤ３４の圧力を低減させるための緩衝として働く。
【００１７】
ブラジャーカップ２２の構造が、図３の横断面図により示される。したがって、それは、多層化された積層体、すなわち、外側の生地層３０と発泡層４２の積層体である第１のシート材４０からなる。そこにはまた、多層化された積層体、すなわち、内側の生地層３２と発泡層４６の積層体である第２のシート材４４がある。積層化は、例えば、接着剤を用いて達成することができる。２つのシート４０と４４の間には、発泡クッキーまたはパッド４８がある。各乳房カップ２２におけるクッキーまたはパッド４８は、除外することもできる。アンダーワイヤ３４は生地５０で包まれ（ｓｈｅａｔｈｅｄ）、またクッション性物質の挿入物３６は、内側の生地層３２を含む第２のシート材４４と、包まれたアンダーワイヤ３４との間に位置する。最良のものではないが、変形形態として、クッション性物質は、発泡層４６の厚さが増加もしくは実質的に増加するか、または発泡層４６が、アンダーワイヤが位置する領域に対応する領域もしくはそれを覆う領域で、またはその近くで隆起するように、内側の生地層３２に積層される発泡層４６を形成するか、または発泡層４６の一部とすることもできる。
【００１８】
生地層３０および３２、発泡層４２および４６、ならびに、提供される場合にはパッド４８は、米国特許第７，１７９，１５０  Ｂ２号明細書で開示された生地および発泡材とすることができ、その内容を、この相互参照により本明細書に組み込まれるものとして理解されたい。この特許はまた、アンダーワイヤのシース５０の生地をトリコット材とすることができることを開示している。それはまた、どのようにして積層されたシート４０および４４を製造することができるかを開示している。
【００１９】
アンダーワイヤ３４は、金属製、被覆された金属製、またはプラスチックもしくは他の高分子材料など、適切でありうる他の異なる材料製とすることができる。各カップ２２に対するアンダーワイヤは、バストを適切に支持するために、特にブラジャーの面内で十分な剛性を有する必要があるが、快適さおよび外観のために、着用者の体に従うように十分な可撓性を有する必要もある。各ブラジャーカップ２２のためのアンダーワイヤ３４は、長方形または丸みを帯びた（例えば、長円形の）横断面を有する、比較的細い長尺の金属、または高分子材料から形成することができる。適度に堅い長尺のこのような材料は、適切に湾曲した形状に曲げられ、一定の位置に配置するために、ブラジャーカップ２２の製造中にトリコット生地５０により包まれる。
【００２０】
内側の生地層３２および発泡層４６を備える第２のシート材４４は、互いに結合された２つの隣接するパネル（異なる色もしくは手触り、または模様など、何らかの異なる特性の生地をそれぞれが含む）を備えることができる。模様を付けることのできる、または他方の生地とは異なる他の特性を示すことのできる一方の生地は、クッション付きのアンダーワイヤが埋め込まれた、またはクッション性物質の挿入物が位置する、すなわち、図３の参照符号３１により示されたブラジャーカップの領域に概して対応することができる。図で示されるように、このような生地は全体的に細長い形状を有する。このような「異なる」生地は美的な魅力を高め、かつ前記領域において、クッション付きアンダーワイヤ、または埋め込まれたクッション性物質の存在をユーザに示す機能を提供する。２つのパネルは隣接しており、超音波溶着により結合されることが好ましい。例えば、２つのパネルの内側層３２は、前身である２つの長方形パネル（生地層を発泡層に積層することによりそれぞれが形成される）の一方を他方の上に配置することにより（生地層がよりよく溶着されるように、パネルの発泡層を互いに対向させることが好ましい）、２つのパネルが切断線に沿って同時に切断されかつ溶着されるように２つのパネルを１つの切断線に沿って超音波切断することにより（この線は図３で参照符号３３により示される）、かつ２つのパネルを広げて第２のシート材４４を得ることにより形成することができる。超音波溶着中、振動周波数により生成される熱は、生地材料を溶融して溶着するのに十分であるが、発泡材に対しては十分ではない。したがって、切断線で、切断部のいずれの側の発泡材料も結合されないことになる。２つのパネル間で（その２つのパネルは内側の生地層３２を形成することになる）そのように形成された超音波的に溶着された結合部は、着用者の皮膚に対して、内側で滑らかな外表面を提供し、それは、着用者の皮膚と接触することになる表面の手触りを向上させ、かつ一般に、着用者の快適さを高めるために重要であり、または有利である。しかし、このような結合部３３は、非常に強力な結合でなくてもよい。したがって、前述の切断線に対応する溶着線は、好ましくは、２つのパネル間の結合を強化するために、その外側で、追加の発泡層（それは、内側の生地層３２に積層された発泡層に追加したものである）により覆うことも可能である。
【００２１】
図４および５を参照すると、カップアセンブリ２２を製造する方法における第１のステップ（ｉ）は、外側の生地層３０となる層を含む第１のシート材４０を提供することであり、次いで、ステップ（ｉｉ）で、例えば、図５で示すように、凸形の上型６０および凹形の下型６２などの型を用いて、ある時間の間、熱と圧力を加え、２つの乳房カップの形状２２を第１のシート材４０へと型押しすることである。このような成形のための熱および時間は、前に参照した米国特許第７，１７９，１５０  Ｂ２号明細書で開示されている。次のステップ（ｉｉｉ）は、包まれたアンダーワイヤ３４を、そのシート中の各カップ形状の下側縁部領域で、第１のシート４０の裏面上の定位置に配置し、おそらく固定することである。各カップ２２に対する発泡材のパッドまたはクッキー層４８を、次いで、それぞれがすでに形成された乳房カップ形状内で、第１のシート４０の上に置くことができる。各カップ２２に対して、好ましくは、これも一片の発泡材であるクッション性物質の挿入物３６を、次いで、包まれたアンダーワイヤ３４の上に置いてそれを覆う（ステップ（ｉｖ））。第２のシート材４４が、次いで、前に組み立てられた部品上に提供され、配置され（ステップ（Ｖ））、型６０および６２（図５を参照のこと）を用いて全部の組立体が成形され（ステップ（ｖｉ））、シートを積層してそれぞれが成形されたブラジャーカップ２２を提供する。この成形ステップ（ｖｉ）のための温度および時間は、それぞれ、１８０℃から２００℃、および１２０秒である。成形してシートを積層し各成形されたブラジャーカップを提供する前に、積層を容易にするために、積層される表面に接着剤が塗布される。最後のステップとして、成形された組立体はトリミングされて、図１で示すように成形され縁部が仕上げられたカップアセンブリ２０を提供することができる。
【００２２】
上記で述べた２つのカップアセンブリ２０に代えて、本考案は、単一のブラジャーカップ２２の提供を含めることが意図されており、それは、単一のスタンドアロンのブラジャーカップ２２である点以外は、前述のものと同様のステップを用いて製造することができる。本考案はまた、米国特許第７，１７９，７５０  Ｂ２号明細書で述べられたタイプの成形された一体型ブラジャーの提供および製造を含むことが意図されている。互いに積層される外側の発泡層および内側の発泡層を備え、かつ２つの乳房カップを画定するコアカップアセンブリを含む、米国特許第７，１７９，７５０  Ｂ２号明細書に記載のこのような一体型ブラジャーの場合は、上記で述べた第１のシート材が、米国特許第７，１７９，７５０  Ｂ２号明細書に記載されたコアカップアセンブリの外側の発泡層に相当し、かつ上記で述べた第２のシート材が、その明細書中に記載されたコアカップアセンブリの内側の発泡層に相当し、さらに、上記で述べたクッション性物質の挿入物が、その明細書中に記載されたコアカップアセンブリの内側の発泡層と、その明細書中に記載された包まれたアンダーワイヤとの間に位置する。この場合、第１のシート材、または第２のシート材のいずれも、生地層を含む必要がない。それに代えて、米国特許第７，１７９，７５０  Ｂ２号明細書に記載のように、コアカップアセンブリは、それぞれが、その各側部でコアカップアセンブリと積層された、外側の外部層（生地層を含む）、および内側の外部層（生地層を含む）により収容されており、外側の外部層および内側の外部層のそれぞれは、コアカップアセンブリの周囲部を越えて延び、ブラジャーのバックストラップまたはバックウィングの少なくとも一部を提供する。
【００２３】
挿入物３６として一片の発泡材を使用することが好ましいが、使用できる他の代替的クッション性物質は、シリコンゲル、繊維の充填物、または空気もしくは液体で満たされた袋（ｂｌａｄｄｅｒまたはｓａｃ）である。各ブラジャーカップ２２に対して、クッション効果を高めるために、一方を他方の上に積層することのできるいくつかの発泡材であることが好ましいクッション性物質（または異なるクッション性物質）の２つ以上の挿入物を使用することも可能である。
【００２４】
製造コストを削減させることの他に、本考案はまた、他の利点を提供する。例えば、異なるユーザ要件に応じて、異なるサイズのクッション性挿入物を使用することができる。クッションサイズを変えることは、例えば、クッション性物質のサイズを変えることにより、または成形可能なクッション材の場合、型設計を変えることにより、製造工程中で容易に達成することができる。
【００２５】
本明細書で述べた本考案は、当業者には自明であるはずの具体的に述べたもの以外の変形、変更、および／または追加を行うことが可能であり、また本考案は、添付の請求の範囲に含まれるこのような変形、変更、および／または追加をすべて含むことを理解されたい。
【図１】
0003162257.tif 000003
【図２】
0003162257.tif 000004
【図３】
0003162257.tif 000005
【図４】
0003162257.tif 000006
【図５】
0003162257.tif 000007